(57)【特許請求の範囲】
【請求項１】
樹脂等の絶縁材料で形成され、上面がほぼ平坦なシール面を有した略筒状の密封包装容器の内側上部に僅かな空気等の絶縁性ガスを含む非絶縁流動性内容物が封入された包装被検体の上部から前記シール面に電圧を印加する一方の電極と、前記包装被検体の一部に異なる極性の電圧を印加する他方の電極と、前記包装被検体を前記シール面に平行な方向に搬送する搬送手段と、前記２つの電極間に電圧を印加する電源と接続され、両電極間を流れる電流の値により前記包装被検体にピンホールやシール不良があるか否かを判別する判別手段とを具えたピンホール検査機において、前記搬送手段により搬送される前記包装被検体を前記シール面が水平面に対して所定角度を成すように傾斜させる傾倒手段を有し、前記搬送手段は包装被検体の略筒状周面を両側から挟持して略平行に対向し、かつ、互いに異なる速度で搬送方向に周回移動する平行対向面を有した一対の無端ベルトコンベヤであり、前記包装被検体は一対の前記平行対向面に挟持搬送される際に中心軸の周りに従動回転するように構成したことを特徴とするピンホール検査機。
【請求項２】
電源は直流電源であることを特徴とする請求項１記載のピンホール検査機。
【発明の詳細な説明】
【０００１】
【産業上の利用分野】
本発明は、樹脂など絶縁性材料で形成され内部に食品、化粧品、薬品などを充填された各種形態の密封包装容器のピンホールなどシール不良を検査するピンホール検査装置に関するものである。
【０００２】
【従来の技術】
従来のピンホール検査装置は、特許（特昭６２−７０７２５）又は、実案（実平９−１０００８）のような被検体の搬送手段のベルトコンベヤを単体か前後一対を直列、水平に配設し、搬送中の被検体のシール部に電圧を印加し検査する方式が多い。
【０００３】
これらの方式では、被検体中に多量の空気を含有しているケースでは、電圧印加時、その上表部に介在する空気層の厚さ次第では、空気の絶縁効果のため、ピンホール部の閃絡現象を阻害し、十分な性能が得られない問題があった。
【０００４】
上蓋をシールしたみつ豆封入の樹脂カップや、同類の流動製品を封入した上蓋など上部シール部をもつ円筒容器で、空気を含有したり或いは意識的に特定ガスを封入している場合、これらの気体の絶縁抵抗のため、電圧印加方式でシール不良を検査するのは極めて困難という問題があり、強く改善を求められていた。
【０００５】
【課題を解決するための手段】
上記課題を解決するために本発明は、無端平ベルトコンベヤ等の搬送手段により搬送される包装被検体をシール面が水平面に対して所定角度を成すように傾斜させる傾倒手段を有し、搬送手段は包装被検体の略筒状周面を両側から挟持して略平行に対向し、かつ、互いに異なる速度で搬送方向に周回移動する平行対向面を有した一対の無端ベルトコンベヤであり、包装被検体は一対の平行対向面に挟持搬送される際に中心軸の周りに従動回転するように構成したものである。
【０００６】
【実施例】
以下、この発明の前提となる参考例を図１から図４を参照して説明する。図１は、本発明の原理及び制御回路との関係を示した説明図である。図２は、被検体４０が図１に示すように角度αだけ傾斜したとき含有空気ａが浮力により図の左側に偏在し、右側にはＷ’で図示しているように傾斜角度と含有空気量からきまるδの幅をもつ接液部が存在することを示す平面図である。
【０００７】
図３は、一定角度αだけ傾斜し被検体４０が上り勾配をＰ方向に進行し、シール部４１全面と軽く接触しながら電圧を印加する陽電極１と、被検体４０の胴体外周が検査時常時摺動接触している陰電極を兼ねた案内摩擦板３と、回動用の遊動ロープベルトプーリー５，６及びこれに系合展張する無端ロープベルト４を示した説明図である。
【０００８】
図４は、図３の平面図で、コイルバネ２１でコンベヤベルト１０の内側よりに軽く押し付け気味に配設された遊動ロープベルトプーリー５，６に展張された無端ロープベルト４，４’により電圧印加時の陰電極の機能を兼ねた案内摩擦板３に被検体４０が軽く押し付けられコンベヤベルト１０のＰ矢印方向に進行するに伴い被検体４０はＴ矢印図示のように回動進行する状態を示している。
【０００９】
次いで、本発明の実施例について、図６及び図７を参照して説明する。図６は本実施例の平面図、図７は、同じく側面図で、装入用前工程のコンベヤ５０とピンポール検査終了後の排出用後工程のコンベア６０間に配接された被検体４０の回動搬送用の陰電極を兼ね、一定の傾斜角度αで固着される滑り板状の検査通路１２と、この上面で滑行する被検体４０を軽く挟み込むような距離Ｓで、滑り板１２の両側に対峙して平行に配設の一対の電動ロープベルトプーリー７，１７及び遊動ロープベルトプーリー６，１６にそれぞれ展張された無端ロープベルト４，４’及び１４，１４’を構成している。
【００１０】
電動ベルトローププーリー７及び１７の回転速度に差をつけ、Ｖ及びｖの矢印長さで図示しているように無端ロープベルト速度はＶ＞ｖと十分の速度差を付与する構成としている。
ここで寸法Ｌは、被検体４０の円周長と同じかやや長くしており、被検体がロープの速度差により回動進行するとき、完全にＴ矢印方向に一回転するように構成している。
【００１１】
さらに、図８及び図９に基づき、本発明の他の参考例について説明する。図８は、この参考例の平面図で、図９の側面図に図示のようにベルト１０の上面が搬送方向と直角方向に一定角度βだけ傾斜しており、そのため被検体４０も角度βだけ傾き流動性の内容物の液面Ｗａは図１に図示のそれと似たよう形態をとつている。その他の構成は図３及び図４と比較し、平ベルト１０は水平のまま搬送方向と直角断面で角度βだけ傾斜している他ほぼ同一構成であることがわかり、検査の機能自身も図１及び図３に示した参考例と全く同一であることが理解できる。
【００１２】
図５は、図３及び４における、遊動ロープベルトプーリー５，６並びに図６及び７における電動ロープベルトプーリー７，１７のそれぞれを兼用した説明図で、便宜上電動機類８及び１８を鎖線図示としている。各ロープベルトプーリー５，６，７，１６並びに１７は軸受台２５の案内溝２４に摺動自在に系合する軸受２２により回転自在に支承され、また、コイルバネ２１とネジ棒２３により各ロープベルトプーリーが稼動時図示Ｙ方向に軽く押し付け気味に摺動機能する。２６は電動機類８，１８の支持金具とする。
【００１３】
次いで、最初の参考例の効用を本発明の機構と動作により説明する。第４図のコンベヤベルト１０上に積載搬送された円筒状の被検体４０は、陰電極を兼ねた案内摩擦板３と対峙し距離Ｓで平行に配設されたコイルバネ２１によりコンベヤよりに軽く押し付け気味に構成した遊動ロープベルトプーリーの入口側プーリー６まで来ると、案内摩擦板入り口３’の斜め開放口と前記プーリー６間に挟み込まれ、被検体４０は、図示のようにコンベヤベルト１０のＰ方向の搬送力と無端ロープベルト４の押し付け力のため案内摩擦板との摩擦によりＴ矢印方向に一回転回動しながら進行し、検査完了後検査機を通過する。
【００１４】
その結果、図３のように待機している陽電極１により、被検体の上蓋シール部４１に電圧を印加することとなり、ここで、搬送系全体が角度αだけ傾斜しているため、図２に図示のＷ’が相対的に回動する際一回転し、シール部の接液部のみの完結した電圧印加の検査を実施することとなる。
【００１５】
そこで、若し検査部にピンホールやシール不良があると、印加された電圧により陰陽電極（１，２）間で不良個所に閃絡電流が発生するが、制御部で、その電流の多寡を設定基準値と比較判別し、確認時は欠陥の警報信号、後工程での排除信号などを発信する。
【００１６】
次に、本発明の実施例の動作について説明する。検査機上流の装入用のベルトコンベヤ５０から搬送された被検体４０は、図６のように、互いに内側向きの押し付け気味に構成した距離Ｓで対峙している電動ロープベルトプーリーの入り口側プーリー６及び１６間に挟まれＰ方向に進行し、陰電極を兼た板状の検査通路１２に乗ると、それぞれ速度の異なる無端ロープベルト４，１４の速度差（Ｖ−ｖ）のため、検査通路１２上を一回転分回動して進行し、検査完了ご後工程のベルトコンベヤ６０に移載される。
【００１７】
検査機通過中の検査機能と動作については、第一実施例と殆ど同じで詳細内容は重複するので省略する。
【００１８】
他の参考例については、上記最初の参考例と被検体の傾斜角度が搬送方向か直角方向かの相違だけで、傾けた被検体を回動状態で検査するという構造と機能としては全く変わらない。即ち、その動作は図８及び図９の記述から容易に推察できるものである。
【００１９】
上記のように、各発明の内容は、ごくありふれた被検体の搬送機構を一定角度傾斜させた構成のもと、被検体を回動進行する間、被検体内の空気又はガスを浮力を利用して移動させ、検査時常に被検体シール部の接液部を創出しながら気体の存在ない個所を適正に検査が出来るため、シール部全域を能率的にピンホールの検査が出来る。
【００２０】
上記の具体例としては、みつ豆のカップなど上蓋シール部の平面のピンホール検査機を挙げているが、本発明では、被検体の胴体が円筒断面または、擬似円筒断面体のものであれば、検査部が上部にあれば平面蓋に限らずキャップ状など具体例と大きく変形した異なる形状の検査にも適用できる。
【００２１】
上記２実施例の何れも、機構、構造、又は大きさなど諸条件共、極めて単純且つ平易なため、求められている微妙な機能の割には極めて低コストで製作可能な装置を提供出来る。
【図面の簡単な説明】
【図１】  本発明の最初の参考例の原理を示した説明図。
【図２】  同じく、その被検体のシール部の下の平面図。
【図３】  同じく、その被検体のシール部に陽電極が摺接する状態を示す説明図。
【図４】  図３の平面図。
【図５】  遊動ロープベルトプーリー及び電動ロープベルトプーリーの形態を説明するための説明図。
【図６】  本発明の実施例の平面図。
【図７】  同じく、その側面図。
【図８】  本発明の他の参考例の平面図。
【図９】  同じく、その側面図。
【図１】
0003775565.tif 000002
【図２】
0003775565.tif 000003
【図３】
0003775565.tif 000004
【図４】
0003775565.tif 000005
【図５】
0003775565.tif 000006
【図６】
0003775565.tif 000007
【図７】
0003775565.tif 000008
【図８】
0003775565.tif 000009
【図９】
0003775565.tif 000010